【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
動的テレビオーディエンス計測システム（ＡＭＳ）であって、
中央レベルＡＭＳサブシステムと、
中央レベルＡＭＳサブシステムと通信状態にあるローカルノードレベルＡＭＳサブシステムと、
ローカルノードレベルＡＭＳサブシステムと通信状態にある複数のクライアントデバイスレベルＡＭＳサブシステムと、
クライアントレベルＡＭＳサブシステムによりそれぞれモニタされる複数の表示デバイスと
を備え、中央レベルＡＭＳサブシステムは、パネル要求元からパネル定義を受信し、パネル定義をローカルノードレベルＡＭＳサブシステムに送信し、マージされた視聴率レポートをローカルノードレベルＡＭＳサブシステムから受信し、
ローカルノードレベルＡＭＳサブシステムは、中央レベルＡＭＳサブシステムからパネル定義を受信し、パネル定義を複数のクライアントレベルＡＭＳサブシステムに伝送し、各クライアントレベルＡＭＳサブシステムから視聴率レポートを受信し、視聴率レポートを、マージされた視聴率レポートにマージし、マージされた視聴率レポートを中央レベルＡＭＳサブシステムに伝送し、
複数のクライアントレベルＡＭＳサブシステムの各々が、パネル定義をローカルノードレベルＡＭＳサブシステムから受信し、視聴者の行動に基づき視聴率レポートを編集し、視聴率レポートをローカルノードレベルＡＭＳサブシステムに伝送する、動的テレビオーディエンス計測システム。
【請求項２】
中央レベルＡＭＳサブシステムが、放送局、ペイテレビサービス事業者、ブロードバンドテレビサービス事業者、または広告代理店により維持される、請求項１に記載の動的テレビオーディエンス計測システム。
【請求項３】
ローカルノードレベルＡＭＳサブシステムが、ケーブル会社、衛星テレビ会社、ブロードバンドテレビ会社、またはインターネットサービスプロバイダにより維持される、請求項１または２に記載の動的テレビオーディエンス計測システム。
【請求項４】
各クライアントレベルＡＭＳサブシステムが、セットトップボックス、テレビ、コンピュータ、タブレット、スマートフォン、またはストリーミングメディアデバイス上に格納される、請求項１ないし３のいずれか一項に記載の動的テレビオーディエンス計測システム。
【請求項５】
パネル定義が、各クライアントレベルＡＭＳサブシステムによりモニタされる基準を備える、請求項１ないし４のいずれか一項に記載の動的テレビオーディエンス計測システム。
【請求項６】
モニタされる基準が、ターゲットオーディエンス、メディアコンテンツ、収集されるデータ、データ収集のスケジュール、およびデータ収集の割合からなるグループから選択される、請求項５に記載の動的テレビオーディエンス計測システム。
【請求項７】
ターゲットオーディエンスが、視聴者の所在地、視聴者の人口統計特性、視聴者の社会的特性、視聴者の社会経済特性、視聴者の住宅特性、および視聴者の購入プロファイル特性のうち少なくとも１つを備える、請求項６に記載の動的テレビオーディエンス計測システム。
【請求項８】
メディアコンテンツが、コンテンツのソース、表示された広告、表示された番組、チャンネル、および購入されたメディアパッケージのうち少なくとも１つを備える、請求項６または７に記載の動的テレビオーディエンス計測システム。
【請求項９】
収集されるデータが、リモコン装置ボタン押下、クライアントデバイスから受信されたメッセージおよびイベント、ならびに描画デバイスから受信されたメッセージおよびデバイスのうち少なくとも１つから選択される、請求項６ないし８のいずれか一項に記載の動的テレビオーディエンス計測システム。
【請求項１０】
データ収集のスケジュールが、開始日および開始時間、終了日および終了時間、ならびにデータ収集の反復のうち少なくとも１つを備える、請求項６ないし９のいずれか一項に記載の動的テレビオーディエンス計測システム。
【請求項１１】
データ収集の割合が、レポーティング頻度、レポーティング細分性、およびレポーティングデータのフォーマットのうち少なくとも１つを備える、請求項６ないし１０のいずれか一項に記載の動的テレビオーディエンス計測システム。
【請求項１２】
中央レベルＡＭＳサブシステムが、加入者情報、人口統計情報、社会経済データ、全国的番組編成スケジュール、および全国的広告データのうち少なくとも１つを得て、格納する、請求項５に記載の動的テレビオーディエンス計測システム。
【請求項１３】
複数のローカルノードレベルＡＭＳサブシステムをさらに備え、中央レベルＡＭＳサブシステムが、モニタされる基準、および中央レベルＡＭＳサブシステムに格納されたデータに基づき、どのローカルノードレベルＡＭＳサブシステムにパネル定義を伝送すべきかを判定する、請求項１２に記載の動的テレビオーディエンス計測システム。
【請求項１４】
中央レベルＡＭＳサブシステムが、各ローカルノードレベルＡＭＳサブシステムからのマージされた視聴率レポートを編集する、請求項１３に記載の動的テレビオーディエンス計測システム。
【請求項１５】
ローカルノードレベルＡＭＳサブシステムが、モニタされる基準、および中央レベルＡＭＳサブシステムに格納されたデータに基づき、複数のクライアントレベルＡＭＳサブシステムのうちどれにパネル定義を伝送すべきかを判定する、請求項１３または１４に記載の動的テレビオーディエンス計測システム。
【請求項１６】
放送局サブシステムおよびサービスプロバイダサブシステムのうち少なくとも一方が、識別子（ＩＤ）を番組または広告のうち少なくとも一方に結合する、請求項１ないし１５のいずれか一項に記載の動的テレビオーディエンス計測システム。
【請求項１７】
ＩＤが、ＩＳＣＩ、Ａｄ−ＩＤ、ＵＭＩＤ、ＩＳＡＮ、Ｖ−ＩＳＡＮ、ＡＤＩ、またはＴＩＤのうち少なくとも１つである、請求項１６に記載の動的テレビオーディエンス計測システム。
【請求項１８】
放送局サブシステムおよびサービスプロバイダサブシステムのうち少なくとも一方が、メタデータを番組または広告のうち少なくとも一方に結合する、請求項１６または１７に記載の動的テレビオーディエンス計測システム。
【請求項１９】
メタデータが、開始フラグまたは終了フラグのうち少なくとも一方を備える、請求項１８に記載の動的テレビオーディエンス計測システム。
【請求項２０】
各クライアントレベルＡＭＳサブシステムが、パネル定義に基づきイベントをモニタし、記録に残す、請求項１６ないし１９のいずれか一項に記載の動的テレビオーディエンス計測システム。
【請求項２１】
モニタされるイベントが、視聴されたチャンネル、視聴された番組、視聴された広告、押下されたリモコン装置ボタン、視聴者の脳波、視聴者の体の動き、視聴者の音声、および視聴者の瞳孔サイズ、体温、脈拍数、発汗、呼吸、または血圧の変化のうち少なくとも１つである、請求項２０に記載の動的テレビオーディエンス計測システム。
【請求項２２】
イベントが、イベントの時間に見られている番組または広告のＩＤと共に記録に残される、請求項２０または２１に記載の動的テレビオーディエンス計測システム。
【請求項２３】
クライアントレベルＡＭＳサブシステムが、モニタされるイベントに基づきコンテンツの再生を調節する、請求項２０ないし２２のいずれか一項に記載の動的テレビオーディエンス計測システム。
【請求項２４】
コンテンツの再生の調節が、音量の変更、および表示デバイスの電源を切ることから選択される、請求項２３に記載の動的テレビオーディエンス計測システム。
【請求項２５】
オーディエンス計測システム（ＡＭＳ）を使ってテレビオーディエンスを動的に計測する方法であって、
中央レベルＡＭＳサブシステムでパネル要求元からパネル定義を受信するステップと、
パネル定義を中央レベルＡＭＳサブシステムからローカルノードレベルＡＭＳサブシステムに伝送するステップと、
ローカルノードレベルＡＭＳサブシステムでパネル定義を受信するステップと、
パネル定義をローカルノードレベルＡＭＳサブシステムから複数のクライアントレベルＡＭＳサブシステムに伝送するステップと、
クライアントレベルＡＭＳサブシステムの各々でパネル定義を受信するステップと、
クライアントレベルＡＭＳサブシステムの各々で視聴者の行動に基づき視聴率レポートを編集するステップと、
各視聴率レポートをクライアントレベルＡＭＳサブシステムからローカルノードレベルＡＭＳサブシステムに伝送するステップと、
ローカルノードレベルＡＭＳサブシステムで視聴率レポートを受信するステップと、
ローカルノードレベルＡＭＳサブシステムで視聴率レポートを、マージされた視聴率レポートにマージするステップと、
マージされた視聴率レポートをローカルノードレベルＡＭＳサブシステムから中央レベルＡＭＳサブシステムに伝送するステップと、
マージされた視聴率レポートを中央レベルＡＭＳサブシステムで受信するステップと
を備える、方法。
【請求項２６】
中央レベルＡＭＳサブシステムが、放送局、ペイテレビサービス事業者、ブロードバンドテレビサービス事業者、または広告代理店により維持される、請求項２５に記載の方法。
【請求項２７】
ローカルノードレベルＡＭＳサブシステムが、ケーブル会社、衛星テレビ会社、ブロードバンドテレビ会社、またはインターネットサービスプロバイダにより維持される、請求項２５または２６に記載の方法。
【請求項２８】
各クライアントレベルＡＭＳサブシステムが、セットトップボックス、テレビ、コンピュータ、タブレット、スマートフォン、またはストリーミングメディアデバイス上に格納される、請求項２５ないし２７のいずれか一項に記載の方法。
【請求項２９】
パネル定義が、各クライアントレベルＡＭＳサブシステムによりモニタされる基準を備える、請求項２５ないし２８のいずれか一項に記載の方法。
【請求項３０】
モニタされる基準が、ターゲットオーディエンス、メディアコンテンツ、収集されるデータ、データ収集のスケジュール、およびデータ収集の割合からなるグループから選択される、請求項２９に記載の方法。
【請求項３１】
ターゲットオーディエンスが、視聴者の所在地、視聴者の人口統計特性、視聴者の社会的特性、視聴者の社会経済特性、視聴者の住宅特性、および視聴者の購入プロファイル特性のうち少なくとも１つを備える、請求項３０に記載の方法。
【請求項３２】
メディアコンテンツが、コンテンツのソース、表示された広告、表示された番組、チャンネル、および購入されたメディアパッケージのうちの少なくとも１つを備える、請求項３０または３１に記載の方法。
【請求項３３】
収集されるデータが、データ収集の割合、リモコン装置ボタン押下、クライアントデバイスから受信されたメッセージおよびイベント、ならびに描画デバイスから受信されたメッセージおよびイベントのうち少なくとも１つから選択される、請求項３０ないし３２のいずれか一項に記載の方法。
【請求項３４】
データ収集のスケジュールが、開始日および開始時間、終了日および終了時間、ならびにデータ収集の反復のうち少なくとも１つを備える、請求項３０ないし３３のいずれか一項に記載の方法。
【請求項３５】
データ収集の割合が、レポーティング頻度、レポーティング細分性、およびレポーティングデータのフォーマットのうち少なくとも１つを備える、請求項３０ないし３４のいずれか一項に記載の方法。
【請求項３６】
中央レベルＡＭＳサブシステムが、加入者情報、人口統計情報、社会経済データ、全国的番組編成スケジュール、および全国的広告データのうち少なくとも１つを得て、格納する、請求項２９に記載の方法。
【請求項３７】
複数のローカルノードレベルＡＭＳサブシステムが存在し、方法が、中央レベルＡＭＳサブシステムが、モニタされる基準、および中央レベルＡＭＳサブシステムに格納されたデータに基づき、どのローカルノードレベルＡＭＳサブシステムにパネル定義を伝送すべきかを判定するステップをさらに備える、請求項３６に記載の方法。
【請求項３８】
中央レベルＡＭＳサブシステムが、各ローカルノードレベルＡＭＳサブシステムからのマージされた視聴率レポートを編集するステップをさらに備える、請求項３７に記載の方法。
【請求項３９】
ローカルノードレベルＡＭＳサブシステムが、モニタされる基準、および中央レベルＡＭＳサブシステムに格納されたデータに基づき、複数のクライアントレベルＡＭＳサブシステムのうちどれにパネル定義を伝送すべきかを判定するステップをさらに備える、請求項３７または３８に記載の方法。
【請求項４０】
放送局サブシステムおよびサービスプロバイダサブシステムのうち少なくとも一方が、識別子（ＩＤ）を番組または広告のうち少なくとも一方に結合するステップをさらに備える、請求項２５ないし３９のいずれか一項に記載の方法。
【請求項４１】
ＩＤが、ＩＳＣＩ、Ａｄ−ＩＤ、ＵＭＩＤ、ＩＳＡＮ、Ｖ−ＩＳＡＮ、ＡＤＩ、またはＴＩＤのうち少なくとも１つである、請求項４０に記載の方法。
【請求項４２】
放送局サブシステムおよびサービスプロバイダサブシステムのうち少なくとも一方が、メタデータを番組または広告のうち少なくとも一方に結合するステップをさらに備える、請求項４０または４１に記載の方法。
【請求項４３】
メタデータが、開始フラグまたは終了フラグのうち少なくとも一方を備える、請求項４２に記載の方法。
【請求項４４】
各クライアントレベルＡＭＳサブシステムが、パネル定義に基づきイベントをモニタし、記録に残す、請求項４０ないし４３のいずれか一項に記載の方法。
【請求項４５】
モニタされるイベントが、視聴されたチャンネル、視聴された番組、視聴された広告、押下されたリモコン装置ボタン、視聴者の脳波、視聴者の体の動き、視聴者の音声、および視聴者の瞳孔サイズ、体温、脈拍数、発汗、呼吸、または血圧の変化のうち少なくとも１つである、請求項４４に記載の方法。
【請求項４６】
イベントが、イベントの時間に見られている番組または広告のＩＤと共に記録に残される、請求項４４または４５に記載の方法。
【請求項４７】
クライアントレベルＡＭＳサブシステムが、モニタされるイベントに基づきコンテンツの再生を調節するステップをさらに備える、請求項４４ないし４６のいずれか一項に記載の方法。
【請求項４８】
コンテンツの再生の調節が、音量の変更、および表示デバイスの電源を切ることから選択される、請求項４７に記載の方法。
【請求項４９】
中央レベル動的テレビオーディエンス計測システム（ＡＭＳ）サブシステムであって、
プロセッサと、
プロセッサと通信状態にある少なくとも１つのデータベースと、
プロセッサと通信状態にある入出力デバイスと、
中央レベルＡＭＳサブシステムに、パネル要求元からパネル定義を受信させ、パネル定義をローカルノードレベルＡＭＳサブシステムに伝送させ、視聴率レポートをローカルノードレベルＡＭＳサブシステムから受信させる、プロセッサ上で実行されるソフトウェアと
を備える、中央レベル動的テレビオーディエンス計測システム（ＡＭＳ）サブシステム。
【請求項５０】
中央レベルＡＭＳサブシステムが、放送局、ペイテレビサービス事業者、ブロードバンドテレビサービス事業者、広告代理店により維持される、請求項４９に記載の中央レベル動的テレビオーディエンス計測システム（ＡＭＳ）サブシステム。
【請求項５１】
パネル定義が、クライアントレベルＡＭＳサブシステムによりモニタされる基準を備える、請求項４９または５０に記載の中央レベル動的テレビオーディエンス計測システム（ＡＭＳ）サブシステム。
【請求項５２】
モニタされる基準が、ターゲットオーディエンス、メディアコンテンツ、収集されるデータ、データ収集のスケジュール、およびデータ収集の割合からなるグループから選択される、請求項５１に記載の中央レベル動的テレビオーディエンス計測システム（ＡＭＳ）サブシステム。
【請求項５３】
ターゲットオーディエンスが、視聴者の所在地、視聴者の人口統計特性、視聴者の社会的特性、視聴者の社会経済特性、視聴者の住宅特性、および視聴者の購入プロファイル特性のうち少なくとも１つを備える、請求項５２に記載の中央レベル動的テレビオーディエンス計測システム（ＡＭＳ）サブシステム。
【請求項５４】
メディアコンテンツが、コンテンツのソース、表示された広告、表示された番組、チャンネル、および購入されたメディアパッケージのうち少なくとも１つを備える、請求項５２または５３に記載の中央レベル動的テレビオーディエンス計測システム（ＡＭＳ）サブシステム。
【請求項５５】
収集されるデータが、データ収集の割合、リモコン装置ボタン押下、クライアントデバイスから受信されたメッセージおよびイベント、ならびに描画デバイスから受信されたメッセージおよびイベントのうち少なくとも１つから選択される、請求項５２ないし５４のいずれか一項に記載の中央レベル動的テレビオーディエンス計測システム（ＡＭＳ）サブシステム。
【請求項５６】
データ収集のスケジュールが、開始日および開始時間、終了日および終了時間、ならびにデータ収集の反復のうち少なくとも１つを備える、請求項５２ないし５５のいずれか一項に記載の中央レベル動的テレビオーディエンス計測システム（ＡＭＳ）サブシステム。
【請求項５７】
データ収集の割合が、レポーティング頻度、レポーティング細分性、およびレポーティングデータのフォーマットのうち少なくとも１つを備える、請求項５２ないし５６のいずれか一項に記載の中央レベル動的テレビオーディエンス計測システム（ＡＭＳ）サブシステム。
【請求項５８】
少なくとも１つのデータベースが、加入者情報、人口統計情報、社会経済データ、全国的番組編成スケジュール、および全国的広告データのうち少なくとも１つを格納する、請求項５１に記載の中央レベル動的テレビオーディエンス計測システム（ＡＭＳ）サブシステム。
【請求項５９】
ソフトウェアが、モニタされる基準、および少なくとも１つのデータベースに格納されたデータに基づき、どのローカルノードレベルＡＭＳサブシステムにパネル定義を伝送すべきかを判定する、請求項５８に記載の中央レベル動的テレビオーディエンス計測システム（ＡＭＳ）サブシステム。
【請求項６０】
ソフトウェアが、各ローカルノードレベルＡＭＳサブシステムからのマージされた視聴率レポートを編集する、請求項５９に記載の中央レベル動的テレビオーディエンス計測システム（ＡＭＳ）サブシステム。
【請求項６１】
放送局サブシステムおよびサービスプロバイダサブシステムのうち少なくとも一方が、識別子（ＩＤ）を番組または広告のうち少なくとも一方に結合する、請求項４９ないし６０のいずれか一項に記載の中央レベル動的テレビオーディエンス計測システム（ＡＭＳ）サブシステム。
【請求項６２】
ＩＤが、ＩＳＣＩ、Ａｄ−ＩＤ、ＵＭＩＤ、ＩＳＡＮ、Ｖ−ＩＳＡＮ、ＡＤＩ、またはＴＩＤのうち少なくとも１つである、請求項６１に記載の中央レベル動的テレビオーディエンス計測システム（ＡＭＳ）サブシステム。
【請求項６３】
放送局サブシステムおよびサービスプロバイダサブシステムのうち少なくとも一方が、メタデータを番組または広告のうち少なくとも一方に結合する、請求項６１または６２に記載の中央レベル動的テレビオーディエンス計測システム（ＡＭＳ）サブシステム。
【請求項６４】
メタデータが、開始フラグまたは終了フラグのうち少なくとも一方を備える、請求項６３に記載の中央レベル動的テレビオーディエンス計測システム（ＡＭＳ）サブシステム。
【請求項６５】
ローカルノードレベル動的テレビオーディエンス計測システム（ＡＭＳ）サブシステムであって、
プロセッサと、
プロセッサと通信状態にある少なくとも１つのデータベースと、
プロセッサと通信状態にある入出力デバイスと、
ローカルノードレベルＡＭＳサブシステムに、中央レベルＡＭＳサブシステムからパネル定義を受信させ、パネル定義を複数のクライアントレベルＡＭＳサブシステムに伝送させ、各クライアントレベルＡＭＳサブシステムから視聴率レポートを受信させ、視聴率レポートを、マージされた視聴率レポートにマージさせ、マージされた視聴率レポートを中央レベルＡＭＳサブシステムに伝送させる、プロセッサ上で実行されるソフトウェアと
を備える、ローカルノードレベル動的テレビオーディエンス計測システム（ＡＭＳ）サブシステム。
【請求項６６】
ローカルノードレベルＡＭＳサブシステムが、ケーブル会社、衛星テレビ会社、ストリーミングメディア会社、またはインターネットサービスプロバイダにより維持される、請求項６５に記載のローカルノードレベル動的テレビオーディエンス計測システム（ＡＭＳ）サブシステム。
【請求項６７】
パネル定義が、各クライアントレベルＡＭＳサブシステムによりモニタされる基準を備える、請求項６５または６６に記載のローカルノードレベル動的テレビオーディエンス計測システム（ＡＭＳ）サブシステム。
【請求項６８】
モニタされる基準が、ターゲットオーディエンス、メディアコンテンツ、収集されるデータ、データ収集のスケジュール、およびデータ収集の割合からなるグループから選択される、請求項６７に記載のローカルノードレベル動的テレビオーディエンス計測システム（ＡＭＳ）サブシステム。
【請求項６９】
ターゲットオーディエンスが、視聴者の所在地、視聴者の人口統計特性、視聴者の社会的特性、視聴者の社会経済特性、視聴者の住宅特性、および視聴者の購入プロファイル特性のうち少なくとも１つを備える、請求項６８に記載のローカルノードレベル動的テレビオーディエンス計測システム（ＡＭＳ）サブシステム。
【請求項７０】
メディアコンテンツが、コンテンツのソース、表示された広告、表示された番組、チャンネル、および購入されたメディアパッケージのうちの少なくとも１つを備える、請求項６８または６９に記載のローカルノードレベル動的テレビオーディエンス計測システム（ＡＭＳ）サブシステム。
【請求項７１】
収集されるデータが、データ収集の割合、リモコン装置ボタン押下、クライアントデバイスから受信されたメッセージおよびイベント、ならびに描画デバイスから受信されたメッセージおよびイベントのうち少なくとも１つから選択される、請求項６８ないし７０のいずれか一項に記載のローカルノードレベル動的テレビオーディエンス計測システム（ＡＭＳ）サブシステム。
【請求項７２】
データ収集のスケジュールが、開始日および開始時間、終了日および終了時間、ならびにデータ収集の反復のうち少なくとも１つを備える、請求項６８ないし７１のいずれか一項に記載のローカルノードレベル動的テレビオーディエンス計測システム（ＡＭＳ）サブシステム。
【請求項７３】
データ収集の割合が、レポーティング頻度、レポーティング細分性、およびレポーティングデータのフォーマットのうち少なくとも１つを備える、請求項６８ないし７２のいずれか一項に記載のローカルノードレベル動的テレビオーディエンス計測システム（ＡＭＳ）サブシステム。
【請求項７４】
ソフトウェアが、モニタされる基準に少なくとも基づき、複数のクライアントレベルＡＭＳサブシステムのうちどれにパネル定義を伝送すべきかを判定する、請求項６７に記載のローカルノードレベル動的テレビオーディエンス計測システム（ＡＭＳ）サブシステム。
【請求項７５】
放送局サブシステムおよびサービスプロバイダサブシステムのうち少なくとも一方が、識別子（ＩＤ）を番組または広告のうち少なくとも一方に結合する、請求項６５ないし７４のいずれか一項に記載のサービスプロバイダレベル動的テレビオーディエンス計測システム（ＡＭＳ）サブシステム。
【請求項７６】
ＩＤが、ＩＳＣＩ、Ａｄ−ＩＤ、ＵＭＩＤ、ＩＳＡＮ、Ｖ−ＩＳＡＮ、ＡＤＩ、またはＴＩＤのうち少なくとも１つである、請求項７５に記載のローカルノードレベル動的テレビオーディエンス計測システム（ＡＭＳ）サブシステム。
【請求項７７】
放送局サブシステムおよびサービスプロバイダサブシステムのうち少なくとも一方が、メタデータを番組または広告のうち少なくとも一方に結合する、請求項７５または７６に記載のサービスプロバイダレベル動的テレビオーディエンス計測システム（ＡＭＳ）サブシステム。
【請求項７８】
メタデータが、開始フラグまたは終了フラグのうち少なくとも一方を備える、請求項７７に記載のローカルノードレベル動的テレビオーディエンス計測システム（ＡＭＳ）サブシステム。
【請求項７９】
クライアントレベル動的テレビオーディエンス計測システム（ＡＭＳ）サブシステムであって、
プロセッサと、
プロセッサと通信状態にある少なくとも１つのデータベースと、
プロセッサと通信状態にある入出力デバイスと、
クライアントレベルＡＭＳサブシステムに、ローカルノードレベルＡＭＳサブシステムからパネル定義を受信させ、視聴者の行動に基づき視聴率レポートを編集させ、視聴率レポートをローカルノードレベルＡＭＳサブシステムに伝送させる、プロセッサ上で実行されるソフトウェアと
を備える、クライアントレベル動的テレビオーディエンス計測システム（ＡＭＳ）サブシステム。
【請求項８０】
クライアントレベルＡＭＳサブシステムが、セットトップボックス、テレビ、コンピュータ、タブレット、スマートフォン、またはストリーミングメディアデバイス上に格納される、請求項７９に記載のクライアントレベル動的テレビオーディエンス計測システム（ＡＭＳ）サブシステム。
【請求項８１】
パネル定義が、各クライアントレベルＡＭＳサブシステムによりモニタされる基準を備える、請求項７９または８０に記載のクライアントレベル動的テレビオーディエンス計測システム（ＡＭＳ）サブシステム。
【請求項８２】
モニタされる基準が、ターゲットオーディエンス、メディアコンテンツ、収集されるデータ、データ収集のスケジュール、およびデータ収集の割合からなるグループから選択される、請求項８１に記載のクライアントレベル動的テレビオーディエンス計測システム（ＡＭＳ）サブシステム。
【請求項８３】
ターゲットオーディエンスが、視聴者の所在地、視聴者の人口統計特性、視聴者の社会的特性、視聴者の社会経済特性、視聴者の住宅特性、および視聴者の購入プロファイル特性のうち少なくとも１つを備える、請求項８２に記載のクライアントレベル動的テレビオーディエンス計測システム（ＡＭＳ）サブシステム。
【請求項８４】
メディアコンテンツが、コンテンツのソース、表示された広告、表示された番組、チャンネル、および購入されたメディアパッケージのうち少なくとも１つを備える、請求項８２または８３に記載のクライアントレベル動的テレビオーディエンス計測システム（ＡＭＳ）サブシステム。
【請求項８５】
収集されるデータが、データ収集の割合、リモコン装置ボタン押下、クライアントデバイスから受信されたメッセージおよびイベント、ならびに描画デバイスから受信されたメッセージおよびイベントのうち少なくとも１つから選択される、請求項８２ないし８４のいずれか一項に記載のクライアントレベル動的テレビオーディエンス計測システム（ＡＭＳ）サブシステム。
【請求項８６】
データ収集のスケジュールが、開始日および開始時間、終了日および終了時間、ならびにデータ収集の反復のうち少なくとも１つを備える、請求項８２ないし８５のいずれか一項に記載のクライアントレベル動的テレビオーディエンス計測システム（ＡＭＳ）サブシステム。
【請求項８７】
データ収集の割合が、レポーティング頻度、レポーティング細分性、およびレポーティングデータのフォーマットのうち少なくとも１つを備える、請求項８２ないし８６のいずれか一項に記載のクライアントレベル動的テレビオーディエンス計測システム（ＡＭＳ）サブシステム。
【請求項８８】
少なくとも１つのセンサをさらに備える、請求項７９ないし８７のいずれか一項に記載のクライアントレベル動的テレビオーディエンス計測システム（ＡＭＳ）サブシステム。
【請求項８９】
少なくとも１つのセンサが、カメラ、水分センサ、マイクロホン、心拍数モニタ、および脳波モニタからなるグループから選択される、請求項８８に記載のクライアントレベル動的テレビオーディエンス計測システム（ＡＭＳ）サブシステム。
【請求項９０】
ソフトウェアが、パネル定義に基づきイベントをモニタし、記録に残す、請求項８９に記載のクライアントレベル動的テレビオーディエンス計測システム（ＡＭＳ）サブシステム。
【請求項９１】
モニタされるイベントが、視聴されたチャンネル、視聴された番組、視聴された広告、押下されたリモコン装置ボタン、視聴者の脳波、視聴者の体の動き、視聴者の音声、および視聴者の瞳孔サイズ、体温、脈拍数、発汗、呼吸、または血圧の変化のうち少なくとも１つである、請求項９０に記載のクライアントレベル動的テレビオーディエンス計測システム（ＡＭＳ）サブシステム。
【請求項９２】
イベントが、イベントの時間に見られている番組または広告のＩＤと共に記録に残される、請求項９０または９１に記載のクライアントレベル動的テレビオーディエンス計測システム（ＡＭＳ）サブシステム。
【請求項９３】
ソフトウェアが、モニタされたイベントに基づきコンテンツの再生を調節する、請求項９０ないし９２のいずれか一項に記載のクライアントレベル動的テレビオーディエンス計測システム（ＡＭＳ）サブシステム。
【請求項９４】
コンテンツの再生の調節が、音量の変更、および表示デバイスの電源を切ることから選択される、請求項９３に記載のクライアントレベル動的テレビオーディエンス計測システム（ＡＭＳ）サブシステム。